(57)【要約】【課題】      造成した各種斜面をそのまま放置すると、崩壊するおそれがあるので、斜面に植生基盤材を吹き付けて斜面を安定する安定工が必要になる。しかしながら吹き付けにともない工事が大型化してコストが大幅にアップする問題があった。【解決手段】  安定をはかる斜面Ａに敷いた金網１と、この金網を定着するために斜面に打ち込んだアンカピン５と、上記金網上の一面に敷いた種子などの緑化材料７の混入植生基盤材８の充填ずみ水溶性の袋６と、この袋の移動を止める止材９とからなり、雨水により袋が溶け、雨水により植生基盤材を金網の網目に充填する。【選択図】    図２
2005155163.tif 000002
【特許請求の範囲】
【請求項１】
安定をはかる斜面に敷いた金網と、この金網を定着するために上記斜面に打ち込んだアンカピンと、上記金網上の一面に敷いた種子などの緑化材料の混入植生基盤材の充填水溶性の袋と、この袋の移動を止める止材とからなる斜面安定装置。
【請求項２】
安定をはかる斜面に敷いた金網と、この金網を定着するために上記斜面に打ち込んだアンカピンと、上記金網上の一面に敷いた種子などの緑化材料の混入植生基盤材の充填ずみネット袋と、このネット袋の移動を止める止材とからなる斜面安定装置。
【請求項３】
前記金網の上に格子状で、かつ緊張状態にワイヤを張設したことを特徴とする請求項１又は２に記載の斜面安定装置。
【請求項４】
前記ネット袋の少なくとも斜面側面に剥離シートを設けたことを特徴とする請求項２に記載の斜面安定装置。
【請求項５】
前記ネット袋の斜面側面の網目を反対側面の網目より大きくしたことを特徴とする請求項２に記載の斜面安定装置。
【請求項６】
前記袋内の緑化材料が、斜面の反対側部分に混入してあることを特徴とする請求項１又は２に記載の斜面安定装置。
【請求項７】
前記金網に、山側から谷側方向への流下止め部材を挿通したことを特徴とする請求項１又は２に記載の斜面安定装置。
【請求項８】
安定をはかる斜面に敷いた金網と、この金網を定着するために上記斜面に打ち込んだアンカピンと、上記金網上の一面に敷いた種子などの緑化材料の混入植生基盤の充填ずみ袋とからなり、この袋の上記金網側面に人手による上記充填植生基盤材の流出用適宜の開放手段を設けたことを特徴とする斜面安定装置。
【発明の詳細な説明】
【技術分野】
【０００１】
この発明は、オープンカット工法などにより造成した高速道路や各種施設などに面する法面や、崩壊のおそれのある斜面を緑化して安定させる装置に関する。
【背景技術】
【０００２】
斜面をそのままにしておくと、表土が雨水などの流下水によって流され、或いは崩壊するおそれがあるので、斜面を安定させる斜面安定工が必要になる。
【０００３】
上記の斜面安定工としては、まず斜面に金網を敷き、敷いた金網を斜面に向けて打ち込むアンカピンによって止める。
【０００４】
次いで、地上側に運び込んだ吹付機からのホースの先端ノズルより斜面に吹付材を吹き付けながら、金網を埋没させて、斜面を安定させる（例えば、特許文献１参照）。
【０００５】
上記の吹付材としては、客土に肥料、保水剤、強度を付与するための短繊維などが混合してあり、そして緑化のため種子やマンネングサなどが混入してある。
【０００６】
【特許文献１】特許第３３８２５９２号公報
【発明の開示】
【発明が解決しようとする課題】
【０００７】
ところで、特許文献１の斜面安定工によると、吹付材の吹付けによる圧送機を地上側に設置するので、圧送機からノズル迄の距離が長くなる程吹付圧力が低下して高所側への良好な吹付けができないと共に、吹付材の混合、混練や資材の搬入に著しく手数がかかって大がかりな工事になるので、大幅なコストアップになる。
【０００８】
また、斜面の急傾斜にともない吹付材が下方に流動して、斜面に対し均一な層の吹付材を定着させることもできない問題があった。
【０００９】
そこで、この発明の課題は、吹付材の吹付けによる諸問題をなくすると共に、斜面に対する定着性を向上させる斜面安定装置を提供することにある。
【課題を解決するための手段】
【００１０】
上記のような課題を解決するために、この発明は、安定をはかる斜面に敷いた金網と、この金網を定着するために上記斜面に打ち込んだアンカピンと、上記金網上の一面に敷いた種子などの緑化材料の混入植生基盤材の充填水溶性の袋と、この袋の移動を止める止材とからなる斜面安定装置を採用する。
【００１１】
すると、降雨などで袋に水分が吸収されると、袋が溶けて、充填植生基盤材が金網の網目に流入して斜面の安定をはかる。
【００１２】
勿論、混入緑化材料の成育により斜面が緑化される。
【００１３】
また、安定をはかる斜面に敷いた金網と、この金網を定着するために上記斜面に打ち込んだアンカピンと、上記金網上の一面に敷いた種子などの緑化材料の混入植生基盤材の充填ずみネット袋と、このネット袋の移動を止める止材とからなる斜面安定装置を採用する。
【００１４】
すると、降雨にともなう雨水が植生基盤材に浸透して、軟弱化した植生基盤材が金網の網目に充填され、斜面の安定化をはかる。
【００１５】
勿論、混入緑化材料の成育により斜面が緑化される。
【００１６】
また、金網の上に格子状で、かつ緊張状態にワイヤを張設することで、斜面安定の強度が大幅にアップする。
【００１７】
また、ネット袋の少なくとも斜面側面に剥離シートを設けることで、搬入場所から金網上に敷き並べる取り扱い時における網目からの植生基盤材の流失をなくすることができる。
【００１８】
また、ネット袋の斜面側面の網目を反対側面の網目より大きくしてあるので、軟弱化した植生基盤材の金網への流入がスムーズになる。
【００１９】
また、袋内の緑化材料が、斜面の反対側部分に混入してあるので、表層側の緑化ができる。
【００２０】
また、金網に、山側から谷側方向への流下止め部材を挿通してあるので、金網内に流入した植生基盤材の谷側方向への流動を止めることができる。
【００２１】
また、安定をはかる斜面に敷いた金網と、この金網を定着するために上記斜面に打ち込んだアンカピンと、上記金網上の一面に敷いた種子などの緑化材料の混入植生基盤の充填ずみ袋とからなり、この袋の上記金網側面に人手による上記充填植生基盤材の流出用適宜の開放手段を設けたことを特徴とする斜面安定装置を採用する。
【００２２】
すると、金網上に袋を敷いた（載置した）のち、人手により開放手段を開放させて、袋の上面を踏みながら充填植生基盤材を流下（排出）させ、流下した植生基盤材を金網の網目に充満させて、斜面の安定をはかる。
【発明の効果】
【００２３】
以上のように、この発明の斜面安定装置によれば、降雨にともない袋が溶けると、袋に充填してあった植生基盤材が金網内に流れ込み、又降雨にともないネット袋に浸入した雨水により充填してあった植生基盤材が網目を通過して金網内に流れ込み、金網内に流れ込んだ植生基盤材を充填する。
【００２４】
このため、既知の吹付け工のような吹付機の設置が不要になり、又吹付け工による吹付材のはね返りなどによる飛散にともなうロスもなくコストの低減をはかると共に、植生基盤材に混入してある緑化材料によって緑化ができ、更に斜面に対し良好に植生基盤材を定着させて斜面の安定化をはかることもできる。
【００２５】
また、金網上に張設してあるワイヤによって大幅な強度アップになる。
【００２６】
さらに、ネット袋の少なくとも斜面側面に剥離シートを設けてあるので、金網上への設置迄の間に充填植生基盤材の網目からの流失もなく、又設置に際し剥離シートを剥がすので、充填植生基盤材の金網への流入に不都合がない。
【００２７】
また、ネット袋の網目を、斜面側を大きく、反対側（上面）を小さくしてあるので、植生基盤材の流下（金網内への）がスムーズになる。
【００２８】
さらに、袋内の充填植生基盤材に対する混入緑化材料が袋の上面側にあるため、地面側への成育が良好になる。
【００２９】
また、金網に挿通してある流下止め部材によって谷側方向への植生基盤材の流下を止めて斜面に対し安定した状態で植生基盤材を定着させることができる。
【００３０】
さらに、金網上に袋を敷いたのち、人手により開放手段を開放操作して袋の下面（金網側面）を開放することで、袋内の充填植生基盤材を金網の網目に充填することができる。
【００３１】
このため、既知の吹付け工のような吹付機の設置が不要になり、又吹付け工による吹付材のはね返りなどによる飛散にともなうロスもなくコストの低減をはかると共に、植生基盤材に混入してある緑化材料によって緑化ができ、更に斜面に対し良好に植生基盤材を定着させて斜面の安定化をはかることもできる。
【発明を実施するための最良の形態】
【００３２】
以下、この発明の実施の形態を添付図面に基づいて説明する。
【００３３】
この発明の第１の実施形態では、図１から図４に示すように、安定をはかる斜面Ａに金網１を敷き、次いで金網１の上に左右及び上下に所定の間隔を存して並列する補強用のワイヤ２を緊張状態に張設する。
【００３４】
上記ワイヤ２は、斜面Ａにアンカ３に打ち込んで定着し、このアンカ３にワイヤ２の端末を取付けて（支持させて）緊張状態に張設し、ワイヤ２のクロス部分は、周知のクロスクリップ４を介し止めておく。
【００３５】
上記の金網１は、金網Ａに向けて打ち込むアンカピン５によって止める。
【００３６】
その際、アンカピン５の頭端をワイヤ２に係止させて、ワイヤ２を金網１上に押え込む。
【００３７】
次に、前もって水溶性の袋６に緑化材料７の混入した植生基盤材８を充填して用意しておく。
【００３８】
上記水溶性の袋６としては、降雨にともなう雨水によって溶けるもので、例えばオブラートのような澱粉で作ったものやポリビニールアルコール製を使用する。
【００３９】
上記の緑化材料７としては、種子やマンネングサなどを用い、植生基盤材８としては、既知のように、客土に、肥料や保水材などを混合して用いる。
【００４０】
その後に、図２に示すように、金網１の上の一面に順次袋６を敷き並べる。
【００４１】
上記敷き並べた袋６から斜面Ａに向けアンカピン９を打ち込んで、袋６の移動を止める。
【００４２】
上記のようにすると、降雨にともなう雨水で袋６の上面側が溶け、植生基盤材８に浸透した雨水による軟弱化にともない流動性ができ、袋６の下面側を溶かして金網１の網目に流れ込む（図３に示すように）。
【００４３】
すると、斜面Ａに植生基盤材８が定着して斜面Ａの安定をはかる。
【００４４】
勿論、混入してある緑化材料７の成育により斜面Ａが緑化される。
【００４５】
この発明の第２の実施形態では、第１の実施形態と同様に、斜面Ａに金網１を敷き、その上にワイヤ２を張設すると共に、第１の実施形態と同様に、斜面Ａにアンカピン５を打ち込んで、斜面Ａに対し金網１及びワイヤ２を止める。
【００４６】
また、ネット袋１１に緑化材料７の混入植生基盤材８を充填しておく。
【００４７】
上記の緑化材７及び植生基盤材８は、第１の実施形態と同様につき説明を省略する。
【００４８】
その後に、金網１上の一面にネット袋１１を敷き並べ、ネット袋１１から斜面Ａにアンカピン（第１の実施形態と同様につき図示省略）を打ち込んで、ネット袋１１を止める。
【００４９】
すると、降雨にともないネット袋１１に浸透した雨水により植生基盤材８が軟弱化し、軟弱化にともなう流動性ができて、ネット袋１１の下面の網目から流出して金網１の網目に流入して充填する。
【００５０】
充填した植生基盤材８によって斜面Ａが安定すると共に、混入緑化材料７の成育により斜面Ａが緑化される。
【００５１】
また、ネット袋１１の網目を、敷き並べた際の上面側に対し下面側（斜面Ａ側）を大きくしておく（図５に示す）。
【００５２】
すると、ネット袋１１から網目に対する流入が容易になる。
【００５３】
さらに、ネット袋１１の敷き並べた際の少なくとも下面側を剥離シート１２によって被っておく。
【００５４】
上記の剥離シート１２は、図６に示す場合表面全体を被ったが、下面側のみであってもよい。
【００５５】
上記の剥離シート１２は、内面に粘着性の接着膜を形成して貼り付け、金網１上に袋シート１１を敷き並べる直前に剥がす。
【００５６】
すると、搬入場所から金網１上への敷き並べ場所への移動途中にネット袋１１の網目から植生基盤材８の流出がない。
【００５７】
また、図７に示すように、袋６やネット袋１１に封入した緑化材料７を、敷き並べた際の上面側に位置させておく。
【００５８】
すると、成育が早く、緑化期間を短縮する。
【００５９】
なお、袋６やネット袋１１内を図示のように溶着やミシンがけなどで多数に区割しておくと、取り扱い時や敷き並べの際一方向に充填植生基盤材８の移動がない。
【００６０】
この発明の第３の実施形態では、図８及び図９に示すように、第１及び第２実施形態の金網１（網目）内には、上下に所定の間隔を存して流入した植生基盤材８の谷側方向の流動（下）を止める流下止め部材２１が挿通してある。
【００６１】
上記の流下止め部材２１としては、棒状の刷子を用いたが、限定されない。
【００６２】
すると、金網２の網目内に流入した植生基盤材８を安定よく止め置くことができる。
【００６３】
この発明の第４の実施形態では、図１０、１１に示すように、第１の実施形態と同様に斜面Ａに金網１を敷き、その上にワイヤ２を張設すると共に、第１の実施形態と同様に斜面Ａにアンカピン５を打ち込んで、斜面Ａに対し金網１及びワイヤ２を止める。
【００６４】
なお、大幅な強度アップを必要としない場合、ワイヤ２を張設する必要がない。
【００６５】
上記斜面Ａに対する金網１及びワイヤ２の定着は、第１の実施形態と同様につき説明を省略する。
【００６６】
次に、前もって袋３１に緑化材料７の混入した植生基盤材８を充填して用意しておく。
【００６７】
上記の緑化材７及び植生基盤材８は、第１の実施形態と同様につき説明を省略する。
【００６８】
そして、金網１の一面に袋３１を敷き並べる。
【００６９】
上記の袋３１は、図１０、１１、１２、１３に示すように、例えば合成樹脂製や紙製のもので、袋３１の敷き並べた際の裏面（金網１側に位置する面）の下縁と上縁との間に人手による適宜の開放手段３２が設けてある。
【００７０】
上記の開放手段３２としては、図示の場合袋材の上下縁間に細幅な引き裂きテープ部３３が（例えばテープ部３３と袋材の境目に薄肉の連結部を設けたり、或いは上記の境目の線上にミシン目を入れて引き裂きが容易になる加工を施こすと、破断がスムーズになる）設けてあり、このテープ部３３の下端（谷側端）に連なる引き裂き操作テープ３４を上方に折り返して、敷き並べた袋３１の上縁（山側）から上方に自由端を突出させて、引っ張りやすくしてある。
【００７１】
すると、袋３１の敷き並べ後に操作テープ３４を上方に引っ張って、テープ部３３を引き裂きながら、袋３１の裏面を破断する。
【００７２】
破断後に、袋３１の上面を踏みながら、袋３１内の植生基盤材８を流下させながら、金網１の網目に植生基盤材８を充満する。
【００７３】
空の袋３１は、人手によって回収する。
【００７４】
なお、上記の開放手段３１は、上述に限定されず、袋３１の裏面上下縁間に開閉用のファスナーを設けて、スライダに操作紐を接続して用いることも（図示省略）ある。
【００７５】
すると、空になって回収した袋３１を再使用することができて、コストの大幅な低減をはかることができる。
【００７６】
上記各実施形態に用いる金網１は、図示のように、扁平な空間を有し、空間の上下方向の寸法が流入（充満した）植生基盤材８の厚みになるように適宜決定すればよい。
【００７７】
また、袋６、３１やネット袋１１の両側縁間の所要間隔位置に仕切り用の固着部（溶着やミシン掛けなどによる）を設けておくと、充填植生基盤材８の流動による片寄りを防止することができる。
【図面の簡単な説明】
【００７８】
【図１】この発明の第１の実施形態を示す一部切欠平面図
【図２】同上の縦断側面図
【図３】金網の網目に植生基盤材が流入した縦断側面図
【図４】袋の一部切欠拡大側面図
【図５】第２の実施形態に使用するネット袋の一部切欠拡大側面図
【図６】ネット袋の他の例を示す一部切欠拡大側面図
【図７】緑化材料の混入を示す一部切欠側面図
【図８】第３の実施形態を示す縦断側面図
【図９】植生基盤材の流入を示す縦断側面図
【図１０】第４の実施形態を示す一部切欠平面図
【図１１】同上の縦断側面図
【図１２】袋の縦断側面図
【図１３】袋の横断平面図
【符号の説明】
【００７９】
Ａ      斜面
１      金網
２      ワイヤ
３      アンカ
４      クロスクリップ
５      アンカピン
６      袋
７      緑化材料
８      植生基盤材
１１    ネット袋
１２    剥離シート
２１    流下止め部材
３１    袋
３２    開放手段
３３    テープ部
３４    操作テープ
【図１】
2005155163.tif 000003
【図２】
2005155163.tif 000004
【図３】
2005155163.tif 000005
【図４】
2005155163.tif 000006
【図５】
2005155163.tif 000007
【図６】
2005155163.tif 000008
【図７】
2005155163.tif 000009
【図８】
2005155163.tif 000010
【図９】
2005155163.tif 000011
【図１０】
2005155163.tif 000012
【図１１】
2005155163.tif 000013
【図１２】
2005155163.tif 000014
【図１３】
2005155163.tif 000015